(57)【要約】【課題】環境にやさしく、組み立ての簡便性、全体的な質感を有するヘアクリップを提供する。【解決手段】ヘアクリップは、二つの相互に突き合わせて組合された挟持片１，２からなる。二つの挟持片１，２はプラスチック材質からなり、相対を呈するように組合される。二つの挟持片１，２は相対する一端同士が接続され、二つの挟持片１，２の間で頭髪を挟持することが可能である。また、二つの挟持片１，２の相対する一端には、枢着部１１，２１が設けられ、二つの挟持片１，２を回転可能に接続する。【選択図】図１
0003179436.tif 000002
【実用新案登録請求の範囲】
【請求項１】
相互に突き合わせされて組み合わされた二つの挟持片を備え、前記二つの挟持片はプラスチック材質からなり、前記二つの挟持片は相対するように組合され、前記二つの挟持片は相対する一端同士が接続され、前記二つの挟持片の間に頭髪を挟持することが可能であることを特徴とするヘアクリップ。
【請求項２】
前記二つの挟持片の相対する一端に枢着部が設けられ、前記枢着部は枢支柱および枢着孔を有し、前記二つの挟持片が前記枢支柱および前記枢着孔により回転可能に組合されることを特徴とする請求項１記載のヘアクリップ。
【請求項３】
前記二つの挟持片の相対する一端同士が連続するように一体に形成されることを特徴とする請求項１記載のヘアクリップ。
【請求項４】
弾性片を更に備え、前記弾性片はプラスチック材質からなり、前記二つの挟持片の一方と一体に形成されるか、又は独立部材として前記二つの挟持片の間に取付けられることを特徴とする請求項１から３のいずれか一項に記載のヘアクリップ。
【考案の詳細な説明】
【技術分野】
【０００１】
本考案は、ヘアクリップの構造に関し、特に、金属部材を必要とせずに組み立て可能なヘアクリップに関する。本考案のヘアクリップは、環境にやさしく、組み立ての簡便性、使用寿命が長いという効果を有する。
【背景技術】
【０００２】
ヘアクリップはアクセサリーの一つである。従来のヘアクリップの構造は、二つの相対して挟みあう挟持片を備える。前記二つの挟持片の一端に枢着部が設置される。枢着部に穿孔を設け金属軸を前記穿孔に挿入して二つの挟持片の一端を回転可能に組み合わせる。また、二つの挟持片が開閉可能な弾力を有するものとするために、通常二つの挟持片の間に金属ばねを設置する。前記ばねの弾力により頭髪を挟持し、またはその弾力により二つの挟持片が拡開して頭髪から外しやすくする。
【０００３】
しかしながら、従来のヘアクリップの構造は、金属軸又はばねを使用するので、一定期間使用すると、前記軸、ばねは酸化によりさびが生じやすく破損するおそれがある。又、前記金属軸、ばねは製造時に電気メッキ又はその他の方法により表面処理を行う必要があるので、製造過程において前記表面処理中の化学有毒物質の排水、泥により環境に悪影響を与える。
【考案の概要】
【考案が解決しようとする課題】
【０００４】
本考案の目的は金属部材を使用することなく、環境にやさしく、組み立ての簡便性、使用寿命が長いヘアクリップを提供することにある。
【課題を解決するための手段】
【０００５】
本考案のヘアクリップは、二つの相互に突き合わされて組合された挟持片からなる。前記二つの挟持片はプラスチック材質からなる。前記二つの挟持片は相対を呈して組合され、前記二つの挟持片は相対する一端が接続され、前記二つの挟持片の間に頭髪を挟持する。本考案により、環境にやさしく、組み立ての簡便性、使用寿命が長いという効果を有する。
【０００６】
更に、本考案の二つの挟持片の相対する一端には枢着部が一体に形成可能である。前記枢着部は枢支柱および枢着孔を有し、二つの挟持片を前記二つの枢着部の枢支柱および枢着孔により回転可能に組合される。二つの挟持片が枢着部により回転し拡開して頭髪に被さり、二つの挟持片が枢着部により回転して頭髪を挟み込む。二つの挟持片は金属軸を使用せず枢着するので、環境にやさしく、組み立ての簡便性を有する。
【０００７】
更に、本考案の二つの挟持片の相対する一端は一体的に連続するように形成され、二つの挟持片が前記接続位置で可撓的に拡開して頭髪を挟持することが可能である。環境にやさしく、製造が容易で、全体的な組み立て性を有する。
【０００８】
更に、本考案の二つの挟持片の間に弾性片が設置される。前記弾性片はプラスチック材質からなり、挟持片に一体的に形成するか、又は独立部材として二つの挟持片間に設けることが可能である。前記弾性片により二つの挟持片は更に好ましい頭髪挟持弾性を有する。又、前記プラスチック弾性片は、更に好ましい環境保護効果を有する。
【図面の簡単な説明】
【０００９】
【図１】本考案の第１実施例によるヘアクリップの分解図である。
【図２】本考案の第１実施例によるヘアクリップの斜視図である。
【図３】本考案の第２実施例によるヘアクリップの斜視図である。
【図４】本考案の第３実施例によるヘアクリップの斜視図である。
【図５】本考案の第４実施例によるヘアクリップの斜視図である。
【図６】本考案の第５実施例によるヘアクリップの斜視図である。
【図７】本考案の第６実施例によるヘアクリップの斜視図である。
【図８】本考案の第７実施例によるヘアクリップの斜視図である。
【図９】本考案の第８実施例によるヘアクリップの斜視図である。
【図１０】本考案の第９実施例によるヘアクリップの斜視図である。
【図１１】本考案の第１０実施例によるヘアクリップの斜視図である。
【図１２】本考案の第１１実施例によるヘアクリップの斜視図である。
【図１３】本考案の第１２実施例によるヘアクリップの斜視図である。
【図１４】本考案の第１３実施例によるヘアクリップの斜視図である。
【図１５】本考案の第１４実施例によるヘアクリップの斜視図である。
【図１６】本考案の第１５実施例によるヘアクリップの斜視図である。
【図１７】本考案の第１６実施例によるヘアクリップの斜視図である。
【考案を実施するための形態】
【００１０】
以下、本考案の複数の実施例を図面に基づき説明する。
（第１実施例）
図１、図２を参照する。本考案の第１実施例のヘアクリップは、主に、二つの相互に突き合わせて組合せた挟持片１、２からなる。二つの挟持片１、２はプラスチック材質からなる。二つの挟持片１、２は相対するように組合される。二つの挟持片１、２の相対する一端には、それぞれ枢着部１１、２１が一体に形成される。二つの枢着部１１、２１は枢支柱２１１および枢着孔１１１をそれぞれ有する。二つの挟持片１、２は、枢支柱２１１および枢着孔１１１により回転可能に接続される。二つの挟持片１、２が枢着部１１、２１により回転し拡開して頭髪に被さり、二つの挟持片１、２が枢着部１１、２１により回転して頭髪を挟持する。挟持片１、２は、金属軸を使用せずに回転可能に接続可能なので、環境にやさしく、組み立ての簡便性を有する。又、挟持片２に弾性片３を形成し、そのプラスチック弾性片３により容易に二つの挟持片１、２が拡開でき、金属ばねを使用しないのでより好ましい環境保護効果を有する。
【００１１】
（第２〜８実施例）
本考案のヘアクリップは様々なタイプを有し、図３〜９に示される第２〜８実施例のヘアクリップ４１、４２、４３、４４、４５、４６、４７はいずれも第１実施例の二つの挟持片の枢着組合せに類似する。ヘアクリップ４１、４２、４３、４４、４５、４７は弾性片を設置しない。
一方、アクリップ４６は、プラスチック弾性片４６１を加えて取付ける。プラスチック弾性片４６１の弾力により頭髪を挟持する。
【００１２】
（第９〜１３実施例）
図１０〜１４は、本考案の第９〜１３実施例である。ヘアクリップ４８、４９、５０、５１、５２は、第１実施例の二つの挟持片の組合せに類似する。二つの挟持片の一端は、接続して一体に形成され、二つの挟持片は接続位置により可撓的に拡開して頭髪を挟持する。容易に製造でき、全体的な組み立て性を有する。
【００１３】
（第１４〜１６実施例）
図１５、図１６を参照すると、本考案の第１４、１５実施例のヘアクリップ５３、５４は伸縮可能なプラスチック材質により一体に成形される。二つの挟持片はリング状に結合するように形成され、頭髪を束ねて挟持することが可能であり、環境にも優しく容易に製造できる。
図１７を参照すると、本考案の第１６実施例のヘアクリップ５５は第１実施例の二つの挟持片の枢着組合せに類似する。リサイクル可能であるとともに、エコ効果を有する。
【００１４】
以上により、本考案のヘアクリップは、いずれもプラスチック材質からなり、金属部材を使用する必要がないので、リサイクル可能であるとともに、エコ効果を有し、且つ金属表面処理による化学有毒物質による汚染が発生しない。又、本考案により、製造組立の簡便性及び全体的な質感を有する。実施例は本考案を例示したものであり、本考案を制限するものではない。本考案の本質に基づいて改良変更なし得ることは本考案の範囲内に属する。
【符号の説明】
【００１５】
1：挟持片、11：枢着部、111：枢着孔、2：挟持片、21：枢着部、211：枢支柱、3：弾性片、41：ヘアクリップ、42：ヘアクリップ、43：ヘアクリップ、44：ヘアクリップ、45：ヘアクリップ、46：ヘアクリップ、461：弾性片、47：ヘアクリップ、48：ヘアクリップ、49：ヘアクリップ、50：ヘアクリップ、51：ヘアクリップ、52：ヘアクリップ、53：ヘアクリップ、54ヘアクリップ、55：ヘアクリップ
【図１】
0003179436.tif 000003
【図２】
0003179436.tif 000004
【図３】
0003179436.tif 000005
【図４】
0003179436.tif 000006
【図５】
0003179436.tif 000007
【図６】
0003179436.tif 000008
【図７】
0003179436.tif 000009
【図８】
0003179436.tif 000010
【図９】
0003179436.tif 000011
【図１０】
0003179436.tif 000012
【図１１】
0003179436.tif 000013
【図１２】
0003179436.tif 000014
【図１３】
0003179436.tif 000015
【図１４】
0003179436.tif 000016
【図１５】
0003179436.tif 000017
【図１６】
0003179436.tif 000018
【図１７】
0003179436.tif 000019